(57)【要約】【課題】  ファイルを複数に分割しても、ファイル番号順にファイルを再生すると、分割されるファイルとその前後に記録されたファイルとが、分割前の元の記録順に再生されるようにファイルのファイル名を生成する。【解決手段】  動画データを含むデータをファイルとして記録媒体に記録する記録手段と、  対象のファイルが記録される以前に記録済みのファイルのファイル名に含まれる番号の最大値と、前記対象のファイルの容量とに基づいて、前記対象のファイルのファイル名を生成する生成手段とを有する。前記対象のファイルの容量が所定値より大きい場合、前記対象のファイルの容量と前記所定値とに基づいて決定した、連続する１以上の番号の最大値より大きくかつ前記以前に記録済みのファイルのファイル名に含まれる番号の最大値に連続しない番号を含むファイル名を、前記対象のファイルのファイル名として生成する。【選択図】  図１
2015069529.tif 000002
【特許請求の範囲】
【請求項１】
動画データを含むデータをファイルとして記録媒体に記録する記録手段と、
対象のファイルが記録される以前に記録済みのファイルのファイル名に含まれる番号の最大値と、前記対象のファイルの容量とに基づいて、前記対象のファイルのファイル名を生成する生成手段とを有し、
前記生成手段は、前記対象のファイルの容量が所定値より大きい場合、前記対象のファイルの容量と前記所定値とに基づいて決定した、連続する１以上の番号の最大値より大きく、かつ、前記以前に記録済みのファイルのファイル名に含まれる番号の最大値に連続しない番号を含むファイル名を、前記対象のファイルのファイル名として生成することを特徴とする記録装置。
【請求項２】
前記生成手段は、前記対象のファイルの容量が前記所定値以下の場合、前記以前に記録済みのファイルのファイル名に含まれる番号の最大値に連続する番号を含むファイル名を、前記対象のファイルのファイル名として生成することを特徴とする請求項１に記載の記録装置。
【請求項３】
前記生成手段は、前記対象のファイルの容量と前記所定値とに基づいて、前記対象のファイルを前記所定値毎に分割した際の分割数ｎを決定し、前記以前に記録済みのファイルのファイル名に含まれる番号の最大値にｎ以上の値を加えた番号を含むファイル名を、前記対象のファイルのファイル名として生成することを特徴とする請求項１または２に記載の記録装置。
【請求項４】
前記記録手段は、前記以前に記録済みのファイルのファイル名に含まれる番号の最大値より大きくかつ連続する少なくともｎ−１個の番号に関する情報を、前記対象のファイルに対応する付加情報として記録することを特徴とする請求項３に記載の記録装置。
【請求項５】
前記記録手段は、第１のファイルシステムに従って記録媒体に記録されたファイルを管理し、
前記生成手段は、前記所定値を前記第１のファイルシステムとは異なる第２のファイルシステムにより定められたファイルの容量の上限値に基づいて決定することを特徴とする請求項１〜４のいずれか一項に記載の記録装置。
【請求項６】
動画データを含むデータをファイルとして記録媒体に記録する記録手段と、
前記対象のファイルのファイル名を生成する生成手段と、
前記対象のファイルの容量が所定値より大きい場合、前記対象のファイルの容量と前記所定値とに基づいて、前記対象のファイルのファイル名に含まれる番号に連続する１以上の番号を決定して、前記決定した番号に関する付加情報を前記対象のファイルと対応づけて前記記録媒体に記録するように前記記録手段を制御し、前記付加情報を用いて、前記対象のファイルの次に記録されるファイルのファイル名を生成するように前記生成手段を制御する制御手段とを有することを特徴とする記録装置。
【請求項７】
前記制御手段は、対象のファイルが記録される以前に記録済みのファイルのファイル名に含まれる番号の最大値を検出し、前記最大値の番号がファイル名に含まれるファイルに対応した前記付加情報に基づいて、前記対象のファイルのファイル名を生成するように前記生成手段を制御することを特徴とする請求項６に記載の記録装置。
【請求項８】
前記制御手段は、前記最大値の番号がファイル名に含まれるファイルに対応する前記付加情報が記録されている場合には、前記付加情報に記録された番号の最大値より大きな番号を含むファイル名を、前記対象のファイルのファイル名として生成するように前記生成手段を制御することを特徴とする請求項７に記載の記録装置。
【請求項９】
前記制御手段は、前記最大値の番号がファイル名に含まれるファイルに対応する前記付加情報が記録されていない場合には、前記最大値より大きい番号を含むファイル名を、前記対象のファイルのファイル名として生成するように前記生成手段を制御することを特徴とする請求項７及び８に記載の記録装置。
【請求項１０】
前記制御手段は、前記対象のファイルの容量と前記所定値とに基づいて、前記対象のファイルを前記所定値毎に分割した際の分割数ｎを決定し、前記対象のファイルのファイル名に含まれる番号より大きくかつ連続する少なくともｎ−１個分の番号に関する情報を、前記対象のファイルに対応する付加情報として前記記録媒体に記録するように前記記録手段を制御することを特徴とする請求項６〜９のいずれか一項に記載の記録装置。
【請求項１１】
前記記録手段は、第１のファイルシステムに従って記録媒体に記録されたファイルを管理し、
前記制御手段は、前記所定値を前記第１のファイルシステムとは異なる第２のファイルシステムにより定められたファイルの容量の上限値に基づいて決定することを特徴とする請求項６〜１０のいずれか一項に記載の記録装置。
【請求項１２】
前記生成手段は、前記対象のファイルを複数のファイルに分割した場合、前記対象のファイルに対応する前記付加情報の番号を含むファイル名を、前記分割した複数のファイルのファイル名として生成することを特徴とする請求項６〜１１のいずれか一項に記載の記録装置。
【請求項１３】
動画データを含むデータをファイルとして記録媒体に記録する記録工程と、
対象のファイルが記録される以前に記録済みのファイルのファイル名に含まれる番号の最大値と、前記対象のファイルの容量とに基づいて、前記対象のファイルのファイル名を生成する生成工程とを有し、
前記生成工程は、前記対象のファイルの容量が所定値より大きい場合、前記対象のファイルの容量と前記所定値とに基づいて決定した、連続する１以上の番号の最大値より大きく、かつ、前記以前に記録済みのファイルのファイル名に含まれる番号の最大値に連続しない番号を含むファイル名を、前記対象のファイルのファイル名として生成することを特徴とする記録方法。
【請求項１４】
動画データを含むデータをファイルとして記録媒体に記録する記録工程と、
前記対象のファイルのファイル名を生成する生成工程と、
前記対象のファイルの容量が所定値より大きい場合、前記対象のファイルの容量と前記所定値とに基づいて、前記対象のファイルのファイル名に含まれる番号に連続する１以上の番号を決定して、前記決定した番号に関する付加情報を前記対象のファイルと対応づけて前記記録媒体に記録するように制御し、前記付加情報を用いて、前記対象のファイルの次に記録されるファイルのファイル名を生成するように制御する制御工程とを有することを特徴とする記録方法。
【発明の詳細な説明】
【技術分野】
【０００１】
本発明は記録装置に関し、特に動画ファイルに関するものである。
【背景技術】
【０００２】
従来、動画信号や音声信号を記録媒体に記録する記録装置が知られている。このような記録装置では、動画データや音声データ等を格納した動画ファイルを、ＦＡＴ（Ｆｉｌｅ  Ａｌｌｏｃａｔｉｏｎ  Ｔａｂｌｅ）等のファイルシステム従って記録する。また各動画ファイルには、所定の文字列と番号の組み合わせからなるファイル名がつけられる。例えばファイル名のネーミングルールとして、ＤＣＦ（Ｄｅｓｉｇｎ  ｒｕｌｅ  ｆｏｒ  Ｃａｍｅｒａ  Ｆｉｌｅ  Ｓｙｓｔｅｍ）規格に準拠したものがある（例えば、特許文献１参照）。動画ファイルを管理するファイルシステムとして、ＦＡＴ１２、ＦＡＴ１６、ＦＡＴ３２等があるが、例えばＦＡＴ３２ファイルシステムでは、１つのファイルサイズの上限が約４ギガバイト（ＧＢ）となっている。
【０００３】
また、ファイルシステムによって、ファイルサイズの上限が異なる場合がある。例えば、ｅｘＦＡＴファイルシステムでは、１つのファイルサイズの上限が約１６エクサバイト（ＥＢ）と定められている。ファイルシステムで扱えるファイルサイズの上限が大きくなるほど、より長時間・高画質の動画データを１ファイルとして記録することができる。
【先行技術文献】
【特許文献】
【０００４】
【特許文献１】特開２００７−１８９３４０号公報
【発明の概要】
【発明が解決しようとする課題】
【０００５】
ＤＣＦ規格に従って、作成した（記録した）ファイルのファイル名（番号）を、入力されたデータ順に連続するように割り当てると、ファイル番号順にファイルを再生することにより、入力されたデータ順にファイルを再生することができる。
【０００６】
ＤＣＦ規格に従ってファイル名が付加されたファイルを複数に分割する場合、分割されたファイルには、新たなファイル名が付加される。新たなファイルには未使用の番号を含むファイル名を付加することになるため、分割されるファイルのファイル番号と連続した番号を使用したファイルが存在する場合、分割後のファイルのファイル名として分割前のファイル番号と連続した番号を使用できない。つまり、ファイルを複数に分割してファイル番号順にファイルを再生しても、分割されるファイルとその前後に記録されたファイルとが、ファイル分割する前の元の記録順に再生されない。
【０００７】
本発明では、ファイルを複数に分割しても、ファイル番号順にファイルを再生すると、分割されるファイルとその前後に記録されたファイルとが、分割前の元の記録順に再生されるように、ファイルのファイル名を生成することを目的とする。
【課題を解決するための手段】
【０００８】
上記目的を達成するために、本発明に係る記録装置は、動画データを含むデータをファイルとして記録媒体に記録する記録手段と、対象のファイルが記録される以前に記録済みのファイルのファイル名に含まれる番号の最大値と、前記対象のファイルの容量とに基づいて、前記対象のファイルのファイル名を生成する生成手段とを有し、前記生成手段は、前記対象のファイルの容量が所定値より大きい場合、前記対象のファイルの容量と前記所定値とに基づいて決定した、連続する１以上の番号の最大値より大きく、かつ、前記以前に記録済みのファイルのファイル名に含まれる番号の最大値に連続しない番号を含むファイル名を、前記対象のファイルのファイル名として生成することを特徴とする。
【０００９】
更に本発明に係る記録装置は、動画データを含むデータをファイルとして記録媒体に記録する記録手段と、前記対象のファイルのファイル名を生成する生成手段と、前記対象のファイルの容量が所定値より大きい場合、前記対象のファイルの容量と前記所定値とに基づいて、前記対象のファイルのファイル名に含まれる番号に連続する１以上の番号を決定して、前記決定した番号に関する付加情報を前記対象のファイルと対応づけて前記記録媒体に記録するように前記記録手段を制御し、前記付加情報を用いて、前記対象のファイルの次に記録されるファイルのファイル名を生成するように前記生成手段を制御する制御手段とを有することを特徴とする。
【発明の効果】
【００１０】
ファイル番号順にファイルを再生した場合であっても、分割されるファイルとその前後に記録されたファイルとが、分割前の元の記録順に再生されるように、ファイルのファイル名を生成して記録することが可能となる。
【図面の簡単な説明】
【００１１】
【図１】実施形態１に係る記録装置１００の構成例を示すブロック図である。
【図２】実施形態１におけるファイル名の生成方法を示すフローチャートである。
【図３】実施形態１において付加されるファイル名とファイルサイズの例を示す図である。
【図４】実施形態２におけるファイル名の生成方法を示すフローチャートである。
【図５】実施形態２において付加されるファイル名とファイルサイズの例を示す図である。
【発明を実施するための形態】
【００１２】
以下、添付図面を参照して、本発明の実施形態を説明する。
【００１３】
（実施形態１）
図１は、本実施形態に係る記録装置１００の構成例を示すブロック図である。図１において、入力部１０１は、記録装置１００に入力された動画データや音声データを取得する。本実施形態では記録装置１００の外部から動画データや音声データを取得する構成で記載するが、記録装置１００内に撮像部やマイクロフォンを含み、入力部１０１は撮影された動画やマイクによる音声を取得する構成としてもよい。
【００１４】
信号処理部１０２は、入力部１０１より取得された動画データや音楽データを記録媒体に記録するのに必要な処理を行う。例えば信号処理部１０２は、動画データや音声データをＭＰＥＧ等の公知の符号化形式に従って符号化し、その情報量を圧縮する。また信号処理部１０２は、再生時においては再生する動画データや音声データを復号し、情報量を伸長する。
【００１５】
ユーザＩＦ（インターフェース）１０３は、ユーザにより操作可能な各種スイッチを含む。そして、ユーザＩＦ１０３はユーザによる各種の指示等を受理して制御部１０４へ通知する。また、ユーザＩＦ１０３は、電源ＯＮまたはＯＦＦにするスイッチ、記録の開始、停止を指示するためのスイッチ、及び記録装置１００のモードを切り替えるためのスイッチ等を含む。
【００１６】
制御部１０４は、ユーザＩＦ１０３から受けた指示に応じて記録装置１００の動作全体を制御する。制御部１０４はマイクロコンピュータやメモリ等を含み、不図示のメモリに記憶されたプログラムに従って、記録装置１００を制御する。また、制御部１０４は記録媒体制御部１０５との間でデータやコマンドを通信するための記録媒体インターフェイス（ＩＦ）を内蔵している。
【００１７】
記録媒体制御部１０５は、記録媒体１０６に記録する動画データ、音声データや各種の情報をＦＡＴ（Ｆｉｌｅ  Ａｌｌｏｃａｔｉｏｎ  Ｔａｂｌｅ）等のファイルシステムに従い、ファイルとして管理する。本実施形態では、ｅｘＦＡＴに従い動画データや音声データを記録する。記録媒体制御部１０５は、ＡＴＡ（ＡＴ  Ａｔｔａｃｈｍｅｎｔ）等の公知のインターフェース（ＩＦ）を有し、制御部１０４内の記録媒体ＩＦとの間でデータやコマンドを送信する。そして記録媒体制御部１０５は、記録媒体１０６に対するデータの記録中に記録媒体１０６でのファイルの記録容量（サイズ）や空きサイズを検出して、制御部１０４に知らせる。
【００１８】
制御部１０４は、記録媒体１０６に対してファイルの書き込み、読み出しを行う場合、記録媒体制御部１０５を制御して、記録媒体１０６からファイルシステムデータ（管理データ）を再生してメモリ１０７に記憶する。このファイルシステムデータは、記録媒体１０６に記録されたファイルのファイル名やサイズ、ファイルの記録アドレスなどを示すデータであり、ファイルを管理するための管理情報である。そして制御部１０４は、記録媒体１０６へのファイルの書き込みに応じて、メモリ１０７に記録されたファイルシステムデータを更新する。そして、更新したファイルシステムデータを、記録媒体制御部１０５により記録媒体１０６に記録する。
【００１９】
本実施形態では、記録媒体１０６はハードディスク（ＨＤＤ）、フラッシュメモリカード、ＤＶＤ等、ランダムアクセス可能な記録媒体である。また、不図示の装着、排出機構により記録装置１００に対して、記録媒体１０６は容易に装着、排出することができるように構成するが、記録装置１００内に内蔵される構成でも良く、複数の記録媒体を装着できる構成としてもよい。
【００２０】
メモリ１０７は動画データや音声データを記憶し、またその他にファイルシステムデータや管理情報など各種の情報を記憶する。更にメモリ１０７は、制御部１０４による制御のためのワークメモリ等の役割を果たす。記録装置１００の各ブロックは、メモリ１０７に対してアクセスすることにより、必要な動画データや音声データを処理する。出力部１０８は再生された動画データや音声データを不図示の表示部等に出力する。データバス１０９は、記録装置１００の各ブロックの間でデータや各種の制御コマンドなどを送受信するために用いられる。
【００２１】
次に、本実施形態における動画データの記録動作について説明する。本発明の記録動作は、不図示のメモリに記憶された制御プログラムを制御部１０４のマイクロコンピュータがロードして実行することによって実現される。まずユーザＩＦ１０３から動画データの記録モードへ移行する指示を受けると、制御部１０４は記録装置１００を記録待機状態へ遷移し、記録開始の指示を待つ。そして記録待機状態において、入力部１０１から入力された動画データに係る動画は出力部１０８から不図示の表示部へ出力される。
【００２２】
ユーザＩＦ１０３から記録開始の指示が入力されると、信号処理部１０２は入力部１０１により入力されてメモリ１０７に記憶された動画データを読み出して、動画データの符号化を開始し、符号化されたデータをメモリ１０７に記憶する。制御部１０４は記録開始の指示を受ける度、記録媒体１０６内に記録されているファイルの状況から、公知の方法で動画データを含むファイル用のファイル名を生成する。そして制御部１０４は、記録媒体制御部１０５に、記録装置１００の個体番号や記録日時と共に、記録媒体１０６に記録される対象のファイルに生成されたファイル名を付加して記録させる。
【００２３】
本実施形態では、信号処理部１０２により符号化されたデータのデータレートは、記録媒体１０６に対して記録可能なデータレートより低い。そのため、本実施形態では、符号化データを一旦メモリ１０７に記憶する。そしてメモリ１０７に記憶された符号化データのデータ量が第１の所定量に達する毎に、記録媒体制御部１０５はメモリ１０７から符号化データを読み出してファイルシステムに応じたファイルとして、記録媒体１０６に記録する。そして、メモリ１０７に記憶された符号化データが第１の所定量よりも少ない第２の所定量まで減少した時点で、記録媒体制御部１０５は、メモリ１０７からの符号化データの読み出しを一時停止し、記録媒体１０６に対する記録処理を中断する。このようにして記録処理を繰り返す。
【００２４】
次に本実施形態において、制御部１０４が行うファイル名の生成方法について説明する。本実施形態は、例えばＤＣＦ規格に従い、番号を含むファイル名を生成する。この際ファイルには、記録された順に連続して番号が大きくなるようにファイル名が生成される。
【００２５】
また本実施形態では、ｅｘＦＡＴに従ってファイルを管理するため、一つのファイルサイズの上限値が１６ＥＢとなる。一方、ファイルシステムとして広く用いられているＦＡＴ３２では、ファイルサイズの上限値が４ＧＢである。そのため、本実施形態において記録されたファイルのサイズが４ＧＢよりも大きい場合、ＦＡＴ３２に対応した記録媒体に対し、このような４ＧＢを超えるファイルをコピー或いは移動することができない。このような場合、ファイルサイズの上限値よりも小さいサイズになるように、ファイルを複数に分割してコピー或いは移動させることが考えられる。
【００２６】
本実施形態では、ファイルを複数に分割してコピー或いは移動することを想定し、その際にファイルを分割するための所定値である閾値ｔｈと、仮分割数ｎとを用いて、ファイルに付加するファイル名を生成する。仮分割数ｎとは、１つのファイルを所定値毎（閾値ｔｈ毎）に分割したときに生成されるファイル数と同じ値（整数）である。本実施形態では、閾値ｔｈを、ＦＡＴ３２により規定されたファイルサイズの上限値である４ＧＢよりも小さい所定値、例えば３．５ＧＢとする。
【００２７】
図２は、本実施形態におけるファイル名の生成方法を示すフローチャートである。図２のフローチャートに示す処理は、ユーザＩＦ１０３から記録開始の指示が入力された場合に、制御部１０４の制御に基づいて行われる。
【００２８】
制御部１０４は、今回記録する対象のファイルのファイル名に使用する仮のファイル番号Ｎを決定し、仮分割数をｎ設定する（ステップＳ２０１）。まず仮のファイル番号Ｎの決定方法を説明する。制御部１０４は記録媒体１０６に既にファイルが記録されているか否かを判別する。記録媒体１０６にファイルが記録されていない場合、制御部１０４は仮のファイル番号Ｎを所定値、ここでは０００１に設定する。
【００２９】
また、記録媒体１０６に今回記録する対象のファイルが記録される以前にファイルが記録されていた場合、制御部１０４は、記録済みのファイルのファイル名の中で最も大きい番号を含むファイル名の情報を、記録媒体制御部１０５から受信する。そして、制御部１０４は、記録済みのファイルのファイル名の中で最も大きい番号に１以上の整数の所定値を加えた値を仮のファイル番号Ｎとする。例えば、以前に記録済みのファイルのファイル名に含まれる番号の最大値に連続する番号をファイル番号とする。仮分割数ｎの初期値は１（つまりＦＡＴ３２に対応した記録媒体で１つのファイルに記録ができ、複数のファイルに分割しないで記録可能）とする。
【００３０】
ステップＳ２０２において記録媒体制御部１０５は、ユーザＩＦ１０３からの記録開始の指示等に応じて、記録媒体１０６に動画データを記録するためのファイルを作成（オープン）し、動画データの記録を開始する。このとき制御部１０４は、作成したファイルに仮のファイル番号Ｎを含むファイル名を生成して付加する。
【００３１】
ステップＳ２０３において制御部１０４により、ステップＳ２０４において用いられる、現在記録中のファイルのファイルサイズと比較するための比較値ＴＨが、ＴＨ＝ｔｈ×ｎ（ｔｈ：閾値、ｎ：仮分割数）で算出される。そして、ステップＳ２０４において制御部１０４は、現在記録中の動画ファイルのサイズ（データ量）Ｆと比較値ＴＨとを比較する。動画ファイルのサイズＦが比較値ＴＨ以下の場合（ステップＳ２０４でＮｏ）では、ステップＳ２０６においてユーザＩＦ１０３から記録停止の指示が入力されない限り（ステップＳ２０６でＮｏ）、記録媒体制御部１０５は動画データの記録を続ける。
【００３２】
ステップＳ２０４で動画ファイルのサイズＦが比較値ＴＨを越えていた場合には、制御部１０４は、仮ファイル番号Ｎ、仮分割数ｎをそれぞれ１増やし（ステップＳ２０５）、ステップＳ２０３の比較値ＴＨを更新して、再びステップＳ２０４の判定を行う。また、仮のファイル番号Ｎが変わったことで、制御部１０４は、記録媒体１０６に記録中のファイルのファイル名を、更新された仮のファイル番号Ｎを含むファイル名に変更する。ステップＳ２０４において制御部１０４は、動画ファイルのサイズＦが更新された比較値ＴＨを越えたと判断される度に、仮のファイル番号Ｎ及び仮分割数ｎをそれぞれ１ずつ増やし、ファイル名を変更するように制御する。
【００３３】
ユーザＩＦ１０３から記録停止の指示が入力されたら（ステップＳ２０６でＹｅｓ）、制御部１０４は、記録媒体制御部１０５に記録媒体１０６への動画データの記録を停止させる（ステップＳ２０７）。制御部１０４は、現在の仮のファイル番号Ｎを動画データのファイル番号Ｎとして決定する。このとき、ファイル番号Ｎは、以前に記録済みのファイルのファイル名に含まれる番号の最大値に連続しない番号であり、記録済みのファイルのファイル名の中に含まれる番号の最大値に分割数ｎを加えた値、またはｎ以上の値を加えた番号となる。この場合、少なくともＮ−ｎ＋１からＮ−１までの連続した番号が今回の動画データの記録において使用されないファイル番号（空き番号）となり、空き番号の数は少なくともｎ−１個分となる。これらの空き番号は、後述のコピー準備モードで、分割後のファイルのファイル名を生成するために使用する。
【００３４】
制御部１０４は記録媒体制御部１０５に、これらの空き番号に関する情報を、ファイルのヘッダ部分等に付加情報として付加して記録させる（ステップＳ２０８）。付加情報を記録する場所はファイルのヘッダ部分に限らず、記録媒体制御部１０５が付加情報をファイルに対応づけて記録媒体に記録すればよい。また、上記の付加情報以外に記録する情報として、記録したファイルを閾値ｔｈでファイル分割して記録する際の分割点となる位置の情報を、仮分割数ｎに基づいて記録してもよい。仮分割数ｎが１のファイルの場合には、空き番号は存在しないので、記録媒体制御部１０５は、ファイルに空き番号に関する情報を記録しないか、空き番号がない旨の情報を記録する。
【００３５】
そして制御部１０４は、信号処理部１０２に動画データの符号化を停止させ、記録媒体制御部１０５に記録中のファイルをクローズさせる（ステップＳ２０９）。クローズしたファイルのファイル名はファイル番号Ｎを含むファイル名になっており、このファイル名で決定される。
【００３６】
図３（ａ）に本実施形態において記録されたファイルに付加されるファイル名（番号）とファイルサイズの例を示す。ファイル名はファイル番号Ｎを用いて、「ＭＶＩ＿［ファイル番号Ｎ］．ｍｐ４」と生成されるものとする。図３（ａ）において、ファイル３０１−３０４は、この順に記録されたものであり、各ファイルサイズは１ＧＢ、１０ＧＢ、３ＧＢ、５ＧＢである。ファイル３０１は記録媒体１０６に最初に記録され、ファイルサイズが閾値ｔｈ（＝３．５ＧＢ）以下（所定値以下）なので、ファイル番号Ｎの０００１を含むファイル名「ＭＶＩ＿０００１．ｍｐ４」が生成されている。
【００３７】
また、ファイル３０２のファイルサイズは１０ＧＢであるので、ファイル３０２の記録停止時における仮分割数ｎは３となる。そのため、ファイル３０２には、ファイル３０１のファイル番号０００１に仮分割数の３を加えたファイル番号０００４を含むファイル名「ＭＶＩ＿０００４．ｍｐ４」が生成される。そして、仮分割数３から１を引いた値の２個分のファイル番号０００２、０００３を含むファイル名は、本実施形態におけるファイル３０２「ＭＶＩ＿０００４．ｍｐ４」の記録時には使用されず、０００２及び０００３は空き番号となる。このように、使用しない空き番号（ファイル名）に関する情報は、ファイル３０２のヘッダ部分等に記録されている。
【００３８】
ファイル３０３には、ファイルサイズが閾値ｔｈ以下なので、ファイル３０２のファイル番号０００４に続く０００５を含むファイル名「ＭＶＩ＿０００５．ｍｐ４」が生成される。ファイル３０４は、ファイルサイズが５ＧＢで閾値ｔｈより大きい。また、ファイル３０４の記録停止時における仮分割数ｎは２なので、ファイル３０３のファイル番号０００５に仮分割数の２を加えたファイル番号０００７を含むファイル名「ＭＶＩ＿０００７．ｍｐ４」が生成され、ファイル３０４に付加される。更に、ファイル番号０００６は空き番号となり、０００６を含むファイル名はファイル３０４の記録時には使用されない。この空き番号の情報は、ファイル３０４に対応した付加情報として記録されている。
【００３９】
上述した実施形態では、ｅｘＦＡＴに従って動画ファイルを記録媒体に記録する場合について説明した。更に記録装置１００は、ｅｘＦＡＴに従って記録したファイルを、ｅｘＦＡＴと異なるファイルシステムの記録媒体にコピーまたは移動させることを想定して、コピー準備モードを備えていてもよい。コピー準備モードとは、所定のファイルシステムに従ってファイルを記録した場合を想定し、そのファイルシステムで規定されているファイルサイズの上限値以下のサイズになるように、ファイルを作成するモードである。本実施形態では、ＦＡＴ３２ファイルシステムに対応した記録媒体にコピーまたは移動することを想定したコピー準備モードを備えているとする。図３（ａ）に示したファイルと同じ内容のファイル３０１−３０４を用いて、ユーザ等の指示によりコピー準備モードでファイルを作成した場合について説明する。
【００４０】
記録装置１００が、コピー準備モードでファイルを作成した場合のファイル名とファイルサイズを図３（ｂ）に示す。記録媒体制御部１０５は、ファイルサイズの大きいファイルを、許容されるファイルサイズの上限値以下の所定値を閾値ｔｈとして、ファイルサイズが閾値ｔｈに達する度に、現在記録中のファイルをクローズし、新たなファイルを作成して動画データの記録を行う。ＦＡＴ３２ではファイルサイズの上限値が４ＧＢである。図３（ｂ）は、コピー準備モードで記録媒体制御部１０５が、ファイルを分割するための閾値ｔｈを３．５ＧＢとしてファイルを作成した場合を示す。
【００４１】
まず制御部１０４は、記録媒体１０６に記録されたファイルの中で、ファイルを分割するための閾値ｔｈのサイズを越えているファイルを検索する。閾値ｔｈ（３．５ＧＢ）のサイズを越えているファイルは、図３（ａ）においてファイル３０２、３０４である。そして制御部１０４は、ファイルサイズが閾値ｔｈを越えているファイルを閾値ｔｈのサイズ毎に分割するように、記録媒体制御部１０５に指示する。閾値ｔｈを越えていないファイル３０１、３０３については、ファイル分割を行わないようにする。そのためファイル３０１、３０３は、図３（ａ）と同じファイル名のままである（図３（ｂ））。
【００４２】
図３（ｂ）に示すように、ファイル３０２は記録媒体制御部１０５により閾値ｔｈ（３．５ＧＢ）毎に、３つのファイル３１１−３１３に分割される。このとき制御部１０４は、元のファイル３０２に対応する付加情報として記録されている、空き番号に関する情報に基づいて、分割後のファイル名を生成する。ファイル名は、ファイル３０２に空き番号に関する情報として記録されているファイル番号０００２、０００３と、ファイル３０２で使用したファイル番号０００４とを用いて生成される。制御部１０４は、分割されるファイル３０２とその前後に記録されたファイル３０１及び３０３とが記録された順に再生されるようにファイル名を生成し、分割されたファイルに付加にする。分割されたファイル３１１−３１３のファイル名は、ファイル番号順が記録された順になるように、それぞれ「ＭＶＩ＿０００２．ｍｐ４」、「ＭＶＩ＿０００３．ｍｐ４」、「ＭＶＩ＿０００４．ｍｐ４」となる。またファイル３０４は２つのファイルに分割され、ファイル名は、ファイル３０４に空き番号に関する情報として記録されているファイル番号０００７と、ファイル３０４で使用したファイル番号０００６とを用いて生成される。分割されたファイル３１４、３１５のファイル名は、ファイル番号順が記録された順になるように、制御部１０４はファイル３１４、３１５にファイル名「ＭＶＩ＿０００６．ｍｐ４」、「ＭＶＩ＿０００７．ｍｐ４」をそれぞれ生成する。
【００４３】
以上のように、記録した１つのファイルを所定サイズ毎に複数のファイルに分割した場合、分割前のファイルの前後に記録されたファイルがあったとしても、分割前の元の記録順になるようにファイル名（番号）を生成することができる。そのため、分割されたファイルを含むファイルをファイル番号順に再生した場合に、分割前の元の記録順にファイルが再生されるようにすることが可能である。
【００４４】
本実施形態では、ファイルを分割するための閾値ｔｈをＦＡＴ３２により規定されたファイルサイズの上限値に基づいて３．５ＧＢとした。しかしこれに限らず、ファイルをコピーまたは移動する可能性がある記録媒体（ＤＶＤ等）の記録可能容量や、予めユーザに数値指定されたファイルサイズ、ファイルの動画データの再生時間等に基づいて、ファイルを分割するための閾値ｔｈを決定してもよい。
【００４５】
また本実施形態では、コピー準備モード以外で空き番号を使用したファイルを作成していないが、空き番号を使用したファイルを容易に作成されないように、空き番号を使用したダミーのファイルを作成してもよい。この場合制御部１０４は、動画データ等を含むファイルと、ダミーのファイルとを判別するために、例えば動画データ等を含むファイルのファイル名と異なる拡張子「．ＤＡＴ」等を使用したファイル名を生成する。
【００４６】
（実施形態２）
図４は、本実施形態におけるファイル名の生成方法を示すフローチャートである。実施形態１において、制御部１０４は動画ファイルのサイズＦと所定の閾値ｔｈとから、ファイルを閾値ｔｈ毎に分割した場合のファイル数である仮分割数ｎを、ファイル記録中にカウントし、仮分割数ｎに基づいてファイル名（番号）を生成した。
【００４７】
本実施形態においては、ファイルの作成（記録）終了後に、閾値ｔｈ毎にファイルを分割した場合の仮分割数ｎを算出し、ファイル名として使用しない番号（空き番号）を決定する。そして実施形態１と同様に、決定した空き番号に関する情報はファイルに対応づけて記録される。そして、次にファイルを記録する時に、すでに記録済みのファイルのファイル名に含まれる番号の最大値と、該最大値の番号が含まれるファイル名のファイルに対応した空き番号とを用いて、ファイル名を生成する。
【００４８】
本実施形態でも実施形態１と同様に、ＦＡＴ３２により規定されたファイルサイズの上限値（４ＧＢ）に基づいて、１つのファイルを複数に分割してコピー或いは移動することを想定したファイルを分割するための所定値である閾値ｔｈを３．５ＧＢとする。
【００４９】
図４のフローチャートに示す処理は、図２と同様に、ユーザＩＦ１０３から記録開始の指示が入力された場合に、制御部１０４の制御に基づいて行われる。
【００５０】
制御部１０４は、今回記録する対象のファイルのファイル名に使用するファイル番号Ｎを決定する（ステップＳ４０１）。ファイル番号Ｎの決定方法を説明する。まず制御部１０４が、記録媒体１０６に既にファイルが記録されているか否かを判別する。記録媒体１０６にファイルが記録されていない場合、制御部１０４はファイル番号Ｎを所定値、例えば０００１に決定する。
【００５１】
記録媒体１０６に既に１以上のファイルが記録されていた場合、制御部１０４は、記録済みのファイルに使用されているファイル番号の中で最も大きい番号の情報を、記録媒体制御部１０５から受信する。ここで、記録済みのファイルに使用されているファイル番号とは、ファイル名に含まれる番号に加えて、記録済みのファイルに対応した付加情報に記録されている空き番号も含む。制御部１０４は、ファイル名に含まれる番号の最大値と、記録済みのファイルに対応する付加情報に記録されている空き番号の最大値を検出し、より大きい番号を、記録済みのファイルに使用されているファイル番号の中で最も大きい番号とする。このようにして、記録済みのファイルに使用されているファイル番号の中で最も大きい番号を決定し、この最も大きい番号に１以上の整数の所定値を加えた値をファイル番号Ｎとする。
【００５２】
ステップＳ４０２において記録媒体制御部１０５は、ユーザＩＦ１０３からの記録開始の指示等に応じて、制御部１０４を制御することにより、記録媒体１０６に動画データを記録するためのファイルを作成（オープン）し、動画データの記録を開始する。このとき制御部１０４は、作成したファイルにファイル番号Ｎを含むファイル名を生成して付加する。記録媒体制御部１０５は、ユーザＩＦ１０３から記録停止の指示が入力されない限り（ステップＳ４０３でＮｏ）、作成したファイルへの動画データの記録を続ける。ユーザＩＦ１０３から記録停止の指示が入力された場合（ステップＳ４０３でＹｅｓ）、制御部１０４は、記録媒体制御部１０５に記録媒体１０６への動画データの記録を停止させる（ステップＳ４０４）。
【００５３】
制御部１０４は、記録媒体１０６に記録が終了した、ファイル番号Ｎを含むファイル名のファイルの動画ファイルのサイズＦを、記録媒体制御部１０５から取得する。そして制御部１０４は、動画ファイルのサイズＦとファイルを分割するための所定値である閾値ｔｈとから、仮分割数ｎを決定する（ステップＳ４０５）。仮分割数ｎは、実施形態１と同様、１つのファイルを所定値毎（閾値ｔｈ毎）に分割して複数のファイルを作成するときのファイル数と同じ値（整数）である。ファイルサイズが閾値ｔｈ以下（所定値以下）の場合には仮分割数ｎは１である。
【００５４】
制御部１０４は、記録を停止したファイルのファイル番号Ｎと仮分割数ｎとに基づき、少なくともＮ＋１からＮ＋ｎ−１までの連続した番号を空き番号として決定する。これらのｎ−１個分の空き番号は、分割後のファイルに付加するために使用する。制御部１０４は記録媒体制御部１０５に、これらの空き番号に関する情報を、ファイルのヘッダ部分等に付加情報として付加して記録させる（ステップＳ４０６）。付加情報を記録する場所はファイルのヘッダ部分に限らず、記録媒体制御部１０５が付加情報をファイルに対応づけて記録媒体に記録すればよい。また、上記の付加情報以外に記録する情報として、記録したファイルを閾値ｔｈでファイル分割して記録する際の分割点となる位置の情報を、仮分割数ｎに基づいて記録してもよい。仮分割数ｎが１のファイルの場合には、空き番号は存在しないので、記録媒体制御部１０５は、ファイルに空き番号に関する情報を記録しないか、空き番号がない旨の情報を記録する。
【００５５】
そしてステップＳ４０７において制御部１０４は、信号処理部１０２に動画データの符号化を停止させ、記録媒体制御部１０５に記録中のファイルをクローズさせる。
【００５６】
図５（ａ）に、本実施形態において記録されたファイル５０１−５０４に付加されるファイル名（番号）とファイルサイズの例を示す。ファイル５０１−５０４は、この順に記録されたものであり、各ファイルのファイルサイズは、８ＧＢ、２ＧＢ、６ＧＢ、３ＧＢである。ファイル５０１の記録前にファイル５００（ファイル名「ＭＶＩ＿０１００．ｍｐ４」）が記録されていたとする。このファイル５００は、ファイルサイズが１ＧＢであり、ファイルを分割するための閾値ｔｈ以下のサイズなので、空き番号に関する情報に記録されている空き番号はない。よって、記録媒体１０６に記録済みのファイルに使用されているファイル番号の中で最も大きい番号は０１００である。
【００５７】
制御部１０４は、記録済みのファイルに使用されているファイル番号の中で最も大きい番号０１００に１を加えた０１０１をファイル番号とするファイル名「ＭＶＩ＿０１０１．ｍｐ４」を生成し、ファイル５０１に付加する。ファイル５０１のファイルサイズは８ＧＢで閾値ｔｈ（＝３．５ＧＢ）より大きい。また、空き番号に関する情報として、０１０２及び０１０３を空き番号とすることが、ファイル５０１に記録されている。制御部１０４は、次に記録するファイル５０２のために、ファイル５０１のファイル番号と記録されている空き番号との中で最も大きい番号０１０３に１を加えた０１０４を使用して、ファイル名「ＭＶＩ＿０１０４．ｍｐ４」を生成し、ファイル５０２に付加する。
【００５８】
ファイル５０２はファイルサイズの閾値ｔｈ以下である。よって仮分割数は１であり、空き番号に関する情報は記録されていない。制御部１０４は、ファイル５０２の次に記録されるファイル５０３のために、０１０４に１を加えた０１０５を使用して、ファイル名「ＭＶＩ＿０１０５．ｍｐ４」を生成し、ファイル５０３に付加する。
【００５９】
ファイル５０３のファイルサイズは６ＧＢで閾値ｔｈより大きいので、空き番号に関する情報として、０１０６を空き番号とすることがファイル５０３に対応づけて記録されている。よって制御部１０４は、次に記録するファイル５０４のために、ファイル５０３のファイル番号と記録されている空き番号との中で最も大きい番号０１０６に１を加えた０１０７を使用して、ファイル名「ＭＶＩ＿０１０７．ｍｐ４」を生成して付加する。ファイル５０４のファイルサイズは３ＧＢで閾値ｔｈ以下なので、空き番号に関する情報は記録されていない。
【００６０】
本実施形態において、上述した実施形態１と同様のコピー準備モードを備えている場合について図５（ｂ）を用いて説明する。記録媒体制御部１０５は、ファイルサイズの大きいファイルを、許容されるファイルサイズの上限値以下の所定値を閾値ｔｈとして、ファイルサイズが閾値ｔｈに達する度に、現在記録中のファイルをクローズし、新たなファイルを作成して動画データの記録を行う。ＦＡＴ３２ではファイルサイズの上限値が４ＧＢである。図５（ｂ）は、コピー準備モードで記録媒体制御部１０５が、ファイルを分割するための閾値ｔｈを３．５ＧＢとしてファイルを作成した場合を示す。
【００６１】
制御部１０４は、記録媒体１０６に記録されたファイルの中で、ファイルを分割するための閾値ｔｈのサイズを越えているファイルを検索する。閾値ｔｈ（３．５ＧＢ）のサイズを越えているファイルは、図５（ａ）においてファイル５０１、５０３である。そして制御部１０４は、ファイルサイズが閾値ｔｈを越えているファイルを閾値ｔｈのサイズ毎に分割するように、記録媒体制御部１０５に指示する。閾値ｔｈを越えていないファイル５０２、５０４については、ファイル分割を行わない。そのためファイル５０２、５０４は、図５（ａ）と同じファイル名のままである（図５（ｂ））。
【００６２】
図５（ｂ）に示すように、ファイル５０１は記録媒体制御部１０５により閾値ｔｈ（３．５ＧＢ）毎に、３つのファイル５１１−５１３に分割される。このとき制御部１０４は、元のファイル５０１の付加情報として記録されている、空き番号に関する情報に基づいて、分割後のファイル名を決める。ファイル名は、ファイル５０１に空き番号に関する情報として記録されているファイル番号０１０２、０１０３と、ファイル５０１で使用したファイル番号０１０１とを用いて生成される。分割されたファイル５１１−５１３のファイル名は、ファイル番号順が記録された順になるように、それぞれ「ＭＶＩ＿０１０１．ｍｐ４」、「ＭＶＩ＿０１０２．ｍｐ４」、「ＭＶＩ＿０１０３．ｍｐ４」となる。
【００６３】
またファイル５０３は２つのファイル５１４、５１５に分割され、ファイル名は、ファイル５０３に空き番号に関する情報として記録されているファイル番号０１０６と、ファイル５０３で使用したファイル番号０１０５とを用いて生成される。分割されたファイル５１４、５１５のファイル名は、ファイル番号順が記録された順になるように、それぞれ「ＭＶＩ＿０１０５．ｍｐ４」、「ＭＶＩ＿０１０６．ｍｐ４」となる。
【００６４】
以上のように、記録した１つのファイルを所定サイズ毎に複数のファイルに分割した場合、分割前のファイルの前後に記録されたファイルがあったとしても、分割前の元の記録順になるようにファイル名（番号）を生成することができる。そのため、分割されたファイルを含むファイルをファイル番号順に再生した場合に、分割前の元の記録順にファイルが再生されるようにすることが可能である。
【符号の説明】
【００６５】
１００  記録装置
１０１  入力部
１０２  信号処理部
１０３  ユーザＩＦ
１０４  制御部
１０５  記録媒体制御部
１０６  記録媒体
１０７  メモリ
１０８  出力部
【図１】
2015069529.tif 000003
【図２】
2015069529.tif 000004
【図３】
2015069529.tif 000005
【図４】
2015069529.tif 000006
【図５】
2015069529.tif 000007